(57)【要約】      （修正有）【課題】養殖設備に付着したハダムシの卵殻を破壊するための超音波照射装置および超音波照射方法を提供する。【解決手段】養殖設備の衛生管理に用いる超音波照射装置１０Ａは、超音波発振のためのエネルギーを供給する発振装置１１と、発振装置１１に接続されたケーブル１２により、海中の所定位置に吊り下げられた超音波発振器１３とを備える。超音波発振器１３は、海中に設置された養殖網２に、周波数２０〜２８kHz、単位面積あたりの出力電力量１．３W／cm2以上の超音波を５分以上、好ましくは１０分以上照射して、養殖網２に付着した寄生虫の卵殻を破壊する。【選択図】図１
2019033698.tif 000002
【特許請求の範囲】
【請求項１】
海中に設置された養殖設備に、周波数２０〜２８kHz、単位面積あたりの出力電力量１．３W／cm2以上の超音波を５分以上照射して、前記養殖設備に付着した寄生虫の卵殻を破壊する超音波発振器を備える
ことを特徴とする養殖設備の衛生管理に用いる超音波照射装置。
【請求項２】
前記超音波発振器は、前記養殖設備に、周波数２０〜２８kHz、単位面積あたりの出力電力量１．３W／cm2以上の超音波を１０分以上照射する
ことを特徴とする請求項１に記載の養殖設備の衛生管理に用いる超音波照射装置。
【請求項３】
前記超音波発振器の超音波発振面の外周に設置された、超音波発振方向に所定長の高さを有する拡散防護壁を有する
ことを特徴とする請求項１または２に記載の養殖設備の衛生管理に用いる超音波照射装置。
【請求項４】
前記拡散防護壁は、金属製である
ことを特徴とする請求項３に記載の養殖設備の衛生管理に用いる超音波照射装置。
【請求項５】
２台の超音波発振器を備え、
一方の超音波発振器は、前記養殖設備の内側から前記養殖設備に超音波を照射し、他方の超音波発振器は、前記養殖設備の外側から前記養殖設備に超音波を照射する
ことを特徴とする請求項１〜４いずれか１項に記載の養殖設備の衛生管理に用いる超音波照射装置。
【請求項６】
前記超音波発振器は、前記養殖設備の上端縁に沿って設置されたレール上の走行体に吊り下げられ、前記走行体の走行により移動して、前記養殖設備の異なる位置に順次超音波を照射する
ことを特徴とする請求項１〜５いずれか１項に記載の養殖設備の衛生管理に用いる超音波照射装置。
【請求項７】
海中に設置された養殖設備に、周波数２０〜２８kHz、単位面積あたりの出力電力量１．３W／cm2以上の超音波を５分以上照射して、前記養殖設備に付着した寄生虫の卵殻を破壊することを特徴とする超音波照射方法。
【発明の詳細な説明】
【技術分野】
【０００１】
本発明は、養殖設備に付着したハダムシの卵殻を破壊するための超音波照射装置および超音波照射方法に関する。
【背景技術】
【０００２】
海中に設置された生簀では、養殖魚の体表にハダムシが寄生する。ハダムシが養殖魚に寄生すると、養殖魚がハダムシを落とそうとして体を網に擦る等の挙動によって体を傷つけてしまい、養殖魚の製品価値が低下するという問題がある。
【０００３】
生簀内のハダムシを駆除するため、過酸化水素水剤による薬浴が一般的に行われている。薬浴は、生簀中の養殖魚をビニールシート等で囲い、所定濃度の薬液中で所定時間遊泳させ、その後生簀に戻すものである。この薬浴は、養殖魚に負担がかかるとともに、作業員にとっても大変な重労働になる。特に、寄生頻度が高くなる夏場は処理回数を増やす必要があり、多くの人手と時間を要していた。
【０００４】
そこで、人手を要さず、また養殖魚に負担を掛けることなく、養殖魚に寄生するハダムシを除去するため、生簀内に超音波を発振する技術がある。生簀内に超音波を発振することで、超音波によって発生するキャビテーションの作用で養殖魚に寄生したハダムシを除去することができる。
【先行技術文献】
【特許文献】
【０００５】
【特許文献１】特開昭６３−９２５６２号公報
【特許文献２】特開平２−４８２１１号公報
【特許文献３】特開２００２−１１９号公報
【特許文献４】ＷＯ２０１３／０５１７２５号公報
【発明の概要】
【発明が解決しようとする課題】
【０００６】
しかし、上述した技術を用いても、養殖魚にハダムシが寄生した時点で養殖魚にダメージを与える確率は高くなるため、根本的に養殖魚にハダムシを寄生させない技術が望まれていた。ハダムシを養殖魚に寄生させないようにするためには、生簀内のハダムシの卵殻を破壊することが有用であるが、従来養殖魚に寄生したハダムシの除去に用いていた超音波等では卵殻を破壊することができないという問題があった。
【０００７】
本発明は上記事情に鑑みてなされたものであり、養殖設備に付着したハダムシの卵殻を破壊することで養殖設備の衛生を管理するための超音波照射装置および超音波照射方法の提供を目的とする。
【課題を解決するための手段】
【０００８】
上記目的を達成するための本発明の養殖設備の衛生管理に用いる超音波照射装置は、海中に設置された養殖設備に、周波数２０〜２８kHz、単位面積あたりの出力電力量１．３W／cm2以上の超音波を５分以上、好ましくは１０分以上照射して、前記養殖設備に付着した寄生虫の卵殻を破壊する超音波発振器を備えることを特徴とする。
【０００９】
この超音波照射装置の前記超音波発振器には、超音波発振面の外周に、超音波発振方向に所定長の高さを有する金属製の拡散防護壁を設置してもよい。
【００１０】
また、この超音波照射装置は、２台の超音波発振器を備え、一方の超音波発振器は、前記養殖設備の内側から前記養殖設備に超音波を照射し、他方の超音波発振器は、前記養殖設備の外側から前記養殖設備に超音波を照射するようにしてもよい。
【００１１】
また、この超音波照射装置の超音波発振器は、前記養殖設備の上端縁に沿って設置されたレール上の走行体に吊り下げられ、前記走行体の走行により移動して、前記養殖設備の異なる位置に順次超音波を照射するようにしてもよい。
【００１２】
また、本発明の超音波発振方法は、海中に設置された養殖設備に、周波数２０〜２８kHz、単位面積あたりの出力電力量１．３W／cm2以上の超音波を５分以上照射して、前記養殖設備に付着した寄生虫の卵殻を破壊することを特徴とする。
【発明の効果】
【００１３】
本発明の養殖設備の衛生管理に用いる超音波照射装置および超音波照射方法によれば、養殖設備に付着したハダムシの卵殻を破壊することができる。
【図面の簡単な説明】
【００１４】
【図１】本発明の第１実施形態による超音波照射装置で海中の生簀に超音波を照射する実施例を示す全体図である。
【図２】本発明の第２実施形態による超音波照射装置の超音波発振器を示す外観斜視図である。
【図３】本発明の第２実施形態による超音波照射装置で海中の生簀に超音波を照射する実施例を示す全体図である。
【図４】本発明の第３実施形態による超音波照射装置で海中の生簀に超音波を照射する実施例を示す全体図である。
【図５】本発明の第４実施形態による超音波照射装置の移動手段を設けた超音波発振器の実施例を示す外観斜視図である。
【図６】（ａ）〜（ｅ）は、本発明の第１実施形態による超音波照射装置を用いてガラス製容器で行った実験のサンプルを撮影した撮像情報である。
【図７】（ａ）〜（ｅ）は、本発明の第１実施形態による超音波照射装置を用いてステンレス製容器で行った実験のサンプルを撮影した撮像情報である。
【発明を実施するための形態】
【００１５】
一般的に、養殖魚の寄生虫であるハダムシは、海中でカキ殻やフジツボ等が付着した養殖網等に卵を産み付ける。そして、卵の繊毛がカキ殻やフジツボに絡み付いて、卵が孵化する。
【００１６】
以下、本発明の実施形態として、養殖網に産み付けられたハダムシの卵殻を、超音波を照射して破壊することで、養殖設備である生簀の衛生管理を行う場合について説明する。
【００１７】
《第１実施形態》
本発明の第１実施形態による超音波照射装置１０Ａは、図１に示すように、海中に生簀１を設けるために設置された養殖網２への超音波照射を行う。本実施形態による超音波照射装置１０Ａは、超音波発振のためのエネルギーを供給する発振装置１１と、発振装置１１に接続されたケーブル１２により海中に吊り下げられた超音波発振器１３とを備える。超音波発振器１３は、例えば縦30cm×横20cm程度の超音波発振面１３ａを有する箱体で構成され、内部に複数の振動子１３１を有している。これらの振動子１３１は、発振装置１１から供給されるエネルギーにより、超音波発振面１３ａから海中に超音波を発振する。超音波発振器１３は、超音波発振面１３ａが養殖網２に向かうように、生簀１外側の養殖網２近傍位置に吊り下げられる。
【００１８】
超音波発振器１３は、周波数が２０〜２８kHz、超音波発振面１３ａの単位面積あたりの出力電力量が１．３W／cm2以上の超音波を、５分以上、好ましくは１０分以上、養殖網２の所定箇所に照射する。
【００１９】
超音波発振器１３から発振される超音波の出力電力量について説明する。本実施形態においては、超音波発振器１３は１５個の振動子１３１を有しており、各振動子１３１に対応する超音波発振面１３ａの面積は２０．２５cm2である。本実施形態では発振装置１１から超音波発振器１３に４００W以上の出力電力を供給するため、これに対応する超音波発振面１３ａの単位面積あたりの出力電力量は、下記式（１）により「１．３W／cm2以上」と算出される。
【００２０】
［数１］
４００W／（２０．２５cm2×１５個）＝１．３W／cm2・・・（１）
以上の第１実施形態によれば、養殖網２に付着したハダムシの卵殻を効果的に破壊することで、ハダムシの孵化を防止して養殖魚への寄生を抑えることができる。
【００２１】
《第２実施形態》
本発明の第２実施形態による超音波照射装置１０Ｂは、超音波発振器１３の超音波発振面１３ａの外周に、図２に示すように、超音波発振方向に所定長の高さを有する金属製の拡散防護壁１３２が設置されている。拡散防護壁１３２は、例えばステンレスで形成される。これ以外の構成に関しては、第１実施形態で説明した超音波照射装置１０Ａと同様であるため、詳細な説明は省略する。
【００２２】
金属製の拡散防護壁１３２が設置された超音波発振器１３を用いて、図３に示すように養殖網２に超音波を照射することにより、超音波発振器１３から発振される超音波の拡散が防止されるとともに減衰が抑えられる。これにより、効率良くハダムシの卵殻破壊処理を行うことができる。
【００２３】
上述した第１実施形態および第２実施形態においては、超音波発振器１３を生簀１の外側に設置して、生簀１の外側から養殖網２に超音波を照射する場合について説明したが、生簀１の内側から養殖網２に超音波を照射するように構成してもよい。
【００２４】
《第３実施形態》
本発明の第３実施形態による超音波照射装置１０Ｃは、図４に示すように、第１超音波照射手段１０１および第２超音波照射手段１０２の２つの超音波照射手段を備え、養殖網２の内側と外側との両側から養殖網２対して超音波を照射する。第１超音波照射手段１０１は、発振装置１１−１と、これにケーブル１２−１を介して接続された超音波発振器１３−１とにより構成される。第２超音波照射手段１０２は、発振装置１１−２と、これにケーブル１２−２を介して接続された超音波発振器１３−２とにより構成される。第１超音波照射手段１０１および第２超音波照射手段１０２それぞれの構成は、第１実施形態で説明した超音波照射装置１０Ａまたは第２実施形態で説明した超音波照射装置１０Ｂのいずれかと同様であるため、詳細な説明は省略する。
【００２５】
第１超音波照射手段１０１の超音波発振器１３−１は、生簀１内側の養殖網２近傍位置に吊り下げられ、生簀１内側から養殖網２に超音波を照射する。第２超音波照射手段１０２の超音波発振器１３−２は、生簀１外側の養殖網２近傍位置に吊り下げられ、生簀１外側から養殖網２に超音波を照射する。
【００２６】
このように、２台の超音波発振器を用いて、養殖網２の外側と内側との両側から養殖網２に超音波を照射することにより、さらに高い精度で、養殖網２に付着したハダムシの卵殻を破壊することができる。
【００２７】
《第４実施形態》
本発明の第４実施形態による超音波照射装置１０Ｄは、図５に示すように、超音波発振器１３を、生簀１の養殖網２の上端縁に沿って設置されたレール２１上を走行する走行体２２から海中に吊り下げるように、設置する。そして、走行体２２をレール２１上で走行させることで、適宜超音波発振器１３を移動させる。
【００２８】
このように構成することで、限られた超音波発振面１３ａの面積を有する超音波発振器１３により、養殖網２の異なる位置に順次超音波を照射させることができる。走行体２２は、作業員により手動で走行させてもよいし、自動で走行するように構成してもよい。
【００２９】
以下に、各種条件でハダムシの卵殻に超音波を照射した実験の結果を示す。
【００３０】
［実験例１］
ガラス製の容器内にハダムシの卵殻の塊を投入したサンプルに対し、単位面積あたりの出力電力量が０．７W／cm2（２００W／（２０．２５cm2×１５個）＝０．７W／cm2）で、周波数４０kHz、７０kHz、１０４kHzの超音波をそれぞれ、１０秒、１分、５分、１０分照射した。また、単位面積あたりの出力電力量が１．３W／cm2（４００W／（２０．２５cm2×１５個）＝１．３W／cm2）で、周波数２８kHz、４０kHz、７０kHz、１０４kHzの超音波をそれぞれ、１０秒、１分、５分、１０分照射した。照射条件ごとに、３個のサンプルを用いた。表１に、照射後の卵殻の破壊状況を目視で確認した結果を示す。
【００３１】
表中、○印はほとんどの卵殻の破壊が確認できた場合であり、△印は数個の卵殻の破壊が確認できたかまたは、サンプルによりばらつきがある場合であり、×印は卵殻の破壊がほとんど確認できなかった場合である。
【００３２】
【表１】
2019033698.tif 000003
【００３３】
上記の表１のとおり、ガラス製の容器内では、出力電力量が１．３W／cm2で周波数が２８kHzの超音波を１０分照射したときにのみ一部の卵殻の破壊が確認できたが、他の条件ではすべて卵殻の破壊がほとんど確認できなかった。
【００３４】
図６（ａ）は、超音波照射前のサンプルの撮像情報であり、（ｂ）はガラス製の容器を用いて、出力電力量１．３W／cm2で周波数２８kHz超音波を１０秒照射した後のサンプルの撮像情報である。同様に、（ｃ）は１分照射した後のサンプルの撮像情報であり、（ｄ）は５分照射した後のサンプルの撮像情報であり、（ｅ）は１０分照射した後のサンプルの撮像情報である。図６（ｅ）で示されるサンプルにおいては、図６（ａ）の照射前の状態に比べて約２５％の卵殻の破壊が確認できた。
【００３５】
［実験例２］
ガラス製の容器およびステンレス製の容器内にハダムシの卵殻の塊を投入したサンプルに対し、単位面積あたりの出力電力量が１．３W／cm2で、周波数２８kHzの超音波をそれぞれ、１０秒、１分、５分、１０分照射した。照射条件ごとに、３個のサンプルを用いた。表２に、照射後の卵殻の破壊状況を目視で確認した結果を示す。
【００３６】
【表２】
2019033698.tif 000004
【００３７】
上記表２のとおり、ステンレス製の容器内では、出力電力量が１．３W／cm2で周波数が２８kHzの超音波を５分照射したときに一部の卵殻の破壊が確認できた。また、出力電力量が１．３W／cm2で周波数が２８kHzの超音波を１０分照射したときは、ほとんどの卵殻の破壊が確認できた。
【００３８】
図７（ａ）は、超音波照射前のサンプルの撮像情報であり、（ｂ）はステンレス製の容器を用いて、出力電力量１．３W／cm2で周波数２８kHz超音波を１０秒照射した後のサンプルの撮像情報である。同様に、（ｃ）は１分照射した後のサンプルの撮像情報であり、（ｄ）は５分照射した後のサンプルの撮像情報であり、（ｅ）は１０分照射した後のサンプルの撮像情報である。これらの撮像情報から、照射の開始後に卵塊の収縮がまず起こり（図７（ｂ）、（ｃ））、その後照射時間の増加とともに卵殻の破壊が進み（図７（ｄ））、１０分照射後にはほとんどの卵殻が破壊されていることが判る（図７（ｅ））。
【００３９】
以上の実験結果の傾向は、超音波洗浄に関し一般的に周知されている「周波数が低い方が発生するキャビテーションの核が大きく、洗浄強度が強くなる」こと、及び「出力電力量が大きいほうがキャビテーション数が多く、洗浄強度が大きくなる」ことに合致する。
【００４０】
また、ガラス製容器よりもステンレス製容器を用いて行った実験のほうが、卵殻に与えるダメージが大きいことが確認された。これは、ステンレス製容器のほうが超音波の反射影響が大きく、減衰されにくいためであると推定される。
【００４１】
上述した実験結果から、ハダムシの卵殻の破壊は、出力電力量が１．３W／cm2以上であり、且つ超音波の最低周波数である２０kHzから、今回の実験で効果が見いだされた周波数２８kHzの範囲の周波数の超音波を、５分以上、好ましくは１０分以上照射することで効果が得られることが明らかになった。
【００４２】
また、超音波発振器１３に設置する拡散防護壁１３２は、金属製とすることで、超音波の減衰が防止され、より確実に効果が得られることが明らかになった。
【符号の説明】
【００４３】
１…生簀
２…養殖網
１０Ａ，１０Ｂ，１０Ｃ，１０Ｄ…超音波照射装置
１１，１１−１，１１−２…発振装置
１２，１２−１，１２−２…ケーブル
１３…超音波発振器
１３ａ…超音波発振面
２１…レール
２２…走行体
１０１…第１超音波照射手段
１０２…第２超音波照射手段
１３１…振動子
１３２…拡散防護壁
【図１】
2019033698.tif 000005
【図２】
2019033698.tif 000006
【図３】
2019033698.tif 000007
【図４】
2019033698.tif 000008
【図５】
2019033698.tif 000009
【図６】
2019033698.tif 000010
【図７】
2019033698.tif 000011